(57)【特許請求の範囲】
【請求項１】
それぞれアドレスを備える複数台の端末器が信号線に接続され、信号線に接続された伝送ユニットと前記各端末器との間で時分割多重伝送方式により伝送信号を授受することにより、伝送ユニットがアドレスの対応関係を用いていずれかの端末器における監視入力に対応させて他の端末器による負荷の制御を可能とする遠隔監視制御システムに用いられ、負荷を制御する日時と負荷の制御内容と負荷に対応するアドレスとを対応付けたタイムスケジュールを設定する制御データ入力部と、制御データ入力部で設定された複数個のタイムスケジュールを格納する制御データ記憶部と、現在日時を計時する時計回路と、時計回路により計時されている現在日時と制御データ記憶部に格納されているタイムスケジュールとを照合するタイマ制御部と、前記信号線に接続され負荷を制御する日時が現在日時に一致したタイムスケジュールの負荷の制御内容を監視入力としタイムスケジュールに設定されたアドレスをアドレスとして用いることにより伝送ユニットに対して端末器として動作する端末回路とを１つの器体に備えることを特徴とする遠隔監視制御システムのタイマ装置。
【請求項２】
前記端末回路がタイムスケジュールにより設定されたアドレスの有効・無効を選択する選択手段を有し、選択手段は端末回路に固定的に設定される専用アドレスに対応付けられており、信号線上に別途に接続された端末器が専用アドレスに対応付けられ、当該端末器への監視入力に応じて前記選択手段がタイムスケジュールにより設定されたアドレスの有効・無効を選択することを特徴とする請求項１記載の遠隔監視制御システムのタイマ装置。
【請求項３】
前記選択手段が選択結果を負荷のオンオフと同じ形式で伝送ユニットに返送することを特徴とする請求項２記載の遠隔監視制御システムのタイマ装置。
【請求項４】
外部からの同期信号が入力される同期入力回路と、同期入力回路に同期信号が入力されると前記時計回路の規定時刻に時刻合わせするとともに時計回路で計時されている時刻が規定時刻になると同期信号を生成する時計同期処理部と、時計同期処理部から出力された同期信号を外部に出力する同期出力回路とが付加されていることを特徴とする請求項１ないし請求項３のいずれか１項に記載の遠隔監視制御システムのタイマ装置。
【請求項５】
前記タイムスケジュールの編集が可能な外部装置との間で双方向に通信可能とする外部入出力回路と、外部入出力回路を通して接続された外部装置と前記制御データ記憶部との間で前記タイムスケジュールを相互に転送可能とする外部データ入出力部とが付加されていることを特徴とする請求項１ないし請求項４のいずれか１項に記載の遠隔監視制御システムのタイマ装置。
【請求項６】
前記伝送ユニットには監視入力に対応する１つのアドレスと制御対象となる複数の負荷に対応する複数のアドレスとを対応付けた一括制御用の関係データが格納される書換可能な制御テーブルが設けられ、さらに伝送ユニットが前記信号線を通して伝送される前記伝送信号により制御テーブルの書き換えが要求されると伝送信号を用いて伝送された関係データを制御テーブルに書き込む機能を有し、前記タイムスケジュールには日時と関係データとを対応付けた特殊スケジュールが含まれ、前記端末回路では、タイムスケジュールの日時が現在日時に一致したとき、そのタイムスケジュールが特殊スケジュールであるときは、伝送ユニットに対して制御テーブルの書き換えを要求し、伝送信号により関係データを伝送ユニットに転送することを特徴とする請求項１記載の遠隔監視制御システムのタイマ装置。
【請求項７】
前記伝送ユニットが前記信号線を通して伝送される前記伝送信号により制御テーブルの読み出しが要求されると伝送信号を用いて制御テーブルの関係データを信号線に送出する機能を有し、前記端末回路が伝送ユニットに対して制御テーブルの読み出しを要求し、信号線に送出された関係データを前記制御データ記憶部に格納する機能を有し、前記制御データ入力部が制御データ記憶部に格納された関係データを編集する機能を有することを特徴とする請求項６記載の遠隔監視制御システムのタイマ装置。
【請求項８】
前記信号線に接続された前記端末器のうち表示機能を備えた端末器に対応付けるアドレスが制御データ記憶部に設定され、前記端末回路がこのアドレスを用いることにより表示機能を備える端末器に表示内容を転送することを特徴とする請求項１記載の遠隔監視制御システムのタイマ装置。
【請求項９】
前記端末回路が前記信号線に接続された前記端末器への監視入力に基づいて生成された伝送信号を受信する側の端末器としての機能を有し、前記タイマ制御部が端末回路を通して受信した伝送信号の内容をタイムスケジュールによる負荷の制御とともに用いて端末回路への監視入力を生成する機能を有することを特徴とする請求項１記載の遠隔監視制御システムのタイマ装置。
【請求項１０】
前記伝送ユニットには前記負荷の動作状況が格納される負荷監視テーブルが設けられ、さらに伝送ユニットが前記信号線を通して伝送される前記伝送信号により負荷監視テーブルの内容の読み出しが要求されると伝送信号を用いて負荷監視テーブルの内容を信号線に送出する機能を有し、前記端末回路が伝送ユニットに対して負荷監視テーブルの読み出しを要求し、信号線に送出された負荷監視テーブルの内容を取得して制御データ記憶部に格納する機能を有することを特徴とする請求項１記載の遠隔監視制御システムのタイマ装置。
【請求項１１】
前記タイムスケジュールを設定する一部の時刻に名称を対応付け、前記制御データ入力部が当該名称を用いてタイムスケジュールを設定する機能を有することを特徴とする請求項１記載の遠隔監視制御システムのタイマ装置。
【発明の詳細な説明】
【０００１】
【発明の属する技術分野】
本発明は、遠隔監視制御システムのタイマ装置に関するものである。
【０００２】
【従来の技術】
従来から負荷を遠隔制御するとともに負荷の状態を遠隔監視することを可能とした遠隔監視制御システムとして、図８に示すように、伝送ユニット１に、２線式の信号線Ｌｓを介して、スイッチのオンオフに相当する無電圧接点入力を監視入力として受け付ける接点入力端末器２と負荷Ｌを制御する制御端末器３とを接続し、接点入力端末器２の監視入力に応じて制御端末器３に設けたリレーを介して負荷Ｌを制御する構成が知られている。接点入力端末器２に入力される監視入力は、たとえば各種センサの出力を２値化してリレーを制御するなどして得られる無電圧接点出力であって、このような無電圧接点出力を発生する装置が監視入力を与える外部装置として接点入力端末器２に接続される。
【０００３】
この遠隔監視制御システムでは、接点入力端末器２および制御端末器３にそれぞれアドレスが設定されており、伝送ユニット１においてはアドレスによって接点入力端末器２と制御端末器３とが対応付けられている。しかして、接点入力端末器２に監視入力が与えられると接点入力端末器２から伝送ユニット１に監視データが伝送され、伝送ユニット１では監視データを受け取り、伝送ユニット１では監視入力が与えられた接点入力端末器２と対応付けられている制御端末器３に対して監視データに対応する制御データを伝送し、制御端末器３を介して負荷Ｌを制御する。なお、伝送ユニット１、接点入力端末器２、制御端末器３はいずれもマイコンを主構成としている。
【０００４】
以下に、遠隔監視制御システムの動作を説明する。遠隔監視制御システムが起動されると、伝送ユニット１は、信号線Ｌｓに対して、図９（ａ）（ｂ）のような形式の伝送信号Ｖｓを一定時間ごとに繰り返して送出する。伝送信号Ｖｓは、信号送出開始を示すスタートパルス信号ＳＹ、信号モードを示すモードデータ信号ＭＤ、接点入力端末器２や制御端末器３を個別に識別するためのアドレスデータを伝送するアドレスデータ信号ＡＤ、負荷を制御するための制御データを伝送する制御データ信号ＣＤ、伝送エラーを検出するためのチェックサムデータ信号ＣＳ、接点入力端末器２や制御端末器３からの返送信号を受信するタイムスロットである信号返送期間ＷＴよりなる複極（±２４Ｖ）の時分割多重信号であり、パルス幅変調によってデータが伝送される。
【０００５】
各接点入力端末器２および各制御端末器３では、信号線Ｌｓを介して受信した伝送信号Ｖｓのアドレスデータがそれぞれに設定されているアドレスに一致すると、伝送信号Ｖｓから制御データを取り込むとともに、伝送信号Ｖｓの信号返送期間ＷＴに同期して監視データを電流モードの信号（信号線Ｌｓを適当な低インピーダンスを介して短絡することにより送出される信号）として返送する。ここに、制御端末器３における監視データは負荷Ｌの動作状態に関するデータとして用いられる。
【０００６】
伝送ユニット１は、常時は伝送信号Ｖｓに含まれるアドレスデータをサイクリックに変化させて接点入力端末器２および制御端末器３を順次アクセスする常時ポーリングを行う常時ポーリング手段を備える。常時ポーリングの際には、伝送信号Ｖｓに含まれるアドレスデータが一致した接点入力端末器２または制御端末器３では、伝送信号Ｖｓに含まれる制御データを取り込むことになる。一方、伝送ユニット１には、いずれかの接点入力端末器２から発生した図９（ｃ）のような割込信号Ｖｉを受信したときに割込信号を発生した接点入力端末器２を検出した後、その接点入力端末器２にアクセスして監視データを返送させる割込ポーリング手段も設けられている。
【０００７】
すなわち、伝送ユニット１では、常時は常時ポーリング手段によってアドレスデータをサイクリックに変更した伝送信号Ｖｓを信号線Ｌｓに送出し、接点入力端末器２から発生した割込信号Ｖｉを伝送信号Ｖｓのスタートパルス信号ＳＹに同期して検出すると、割込ポーリング手段によって伝送ユニット１からモードデータ信号ＭＤを割込ポーリングモードとした伝送信号Ｖｓを送出する。割込信号Ｖｉを発生した接点入力端末器２は、割込ポーリングモードの伝送信号Ｖｓのアドレスデータの上位ビットが一致していると、その伝送信号Ｖｓの信号返送期間ＷＴに同期して接点入力端末器２に設定されているアドレスデータの下位ビットを返信データとして返送する。このようにして伝送ユニット１では割込信号Ｖｉを発生した接点入力端末器２のアドレスを獲得する。また、伝送ユニット１における割込ポーリング手段では、割込信号Ｖｉを発生した接点入力端末器２から下位アドレスが返送されなければ、上位アドレスを変更して割込ポーリングモードの伝送信号Ｖｓを再送する。
【０００８】
上述のようにして、割込信号Ｖｉを発生した接点入力端末器２のアドレスおよび監視データを伝送ユニット１が獲得すると、伝送ユニット１では接点入力端末器２に対して監視データの返送を要求する伝送信号Ｖｓを送出し、接点入力端末器２は監視入力の内容に応じた監視データを伝送ユニット１に返送する。監視データを受け取った伝送ユニット１は、伝送ユニット１内の制御テーブル（図示せず）に設定されているアドレスの対応関係によって接点入力端末器２にあらかじめ対応付けられている制御端末器３に対する制御データを生成し、この制御データを含む伝送信号Ｖｓを信号線Ｌｓに送出して制御端末器３を通して負荷Ｌを制御する。ここに、現状の製品ではアドレスは６４チャンネルであって、各接点入力端末器２および制御端末器３では４回路ずつの監視入力および負荷Ｌを個別に制御可能になっている。つまり、制御データ信号ＣＤには各負荷Ｌを個別に制御する４回路分の制御データが含まれ、信号返送期間ＷＴには４回路分の監視入力に個別に対応する監視データが含まれる。つまり、各接点入力端末器２および各制御端末器３では、それぞれ最大で４回路の監視入力または負荷Ｌに対応可能であって、合計２５６回路の負荷Ｌが制御可能になっている。
【０００９】
ところで、この種の遠隔監視制御システムでは、監視入力と負荷Ｌとを一対一に対応させる個別制御と、１つの監視入力に複数の負荷Ｌを対応付けて１つの監視入力の操作で複数の負荷Ｌを一括して制御する一括制御との制御が可能である。また、制御端末器３が負荷Ｌを調光制御できるように構成されている場合には、監視入力によって負荷Ｌを調光制御することが可能になっている。一括制御については、複数の負荷Ｌを同じ状態に制御するグループ制御と、複数の負荷Ｌを各別にあらかじめ設定した制御状態にするパターン制御とが可能である。このように、各監視入力は、個別制御、グループ制御、パターン制御、調光制御のいずれかの制御方法で負荷Ｌを制御することになる。接点入力端末器２と制御端末器３とについてアドレスの対応関係は、個別制御では一対一対応になり、グループ制御やパターン制御では一対多対応になる。また、調光制御は個別制御の場合と一括制御の場合とがある。
【００１０】
伝送ユニット１の制御テーブルは、ＥＥＰＲＯＭのような書換可能かつ不揮発性であるメモリにより構成されている。制御テーブルには、監視入力と負荷Ｌとを対応付けるための関係データが格納されており、グループ制御やパターン制御のような一括制御に関する関係データは、関係名としてのグループ番号あるいはパターン番号と、制御対象である複数の負荷Ｌとの対応関係として設定される。つまり、監視入力に対応するアドレスが関係名になり、一括制御の制御対象となる複数の負荷Ｌに対応するアドレスが関係名に対応付けられるのである。ここに、グループ制御のための各関係名（グループ番号）はＧ１，Ｇ２，……という形で付与され、パターン制御のための関係名（パターン番号）はＰ１，Ｐ２，……という形で付与される。したがって、一括制御の際にはこのような関係名を監視入力に対応するアドレスに用いることによって、複数の負荷Ｌを一括して制御することが可能になる。
【００１１】
上述した遠隔監視制御システムを用いてあらかじめ設定されたタイムスケジュール（つまり、負荷を制御する日時と負荷のオンオフの内容とを対応付けたスケジュール）に従うように負荷Ｌを制御するには、図８に示すように、接点入力端末器２にタイマ装置４を接続し、タイマ装置４からの接点出力を監視入力として接点入力端末器２に与えることが必要である。この種のタイマ装置４としては、特開２０００−１８７０８９に開示されたものなどを用いることができる。
【００１２】
図示するタイマ装置４は、無電圧接点出力が得られる４回路の接点出力回路２４ａ〜２４ｄを備え、各接点出力回路２４ａ〜２４ｄから異なる接点入力端末器２にそれぞれ監視入力を与えるようにしてある。さらに、タイマ装置４は、タイムスケジュールを設定するための制御データ入力部２１と、制御データ入力部２１により設定されたタイムスケジュールを記憶する制御データ記憶部２２と、現在日時を計時する時計回路２３と、時計回路２３により計時されている現在日時が制御データ記憶部２２に格納されているタイムスケジュールの日時に一致すると、タイムスケジュールにおける負荷のオンオフの内容に従って接点出力回路２４ａ〜２４ｄからの無電圧接点出力を制御するタイマ制御部２０とを備えている。したがって、タイマ装置４ではタイムスケジュールに従って接点出力回路２４ａ〜２４ｄから接点入力端末器２に与える接点入力を制御し、これによって負荷Ｌをタイムスケジュールに従って制御することが可能になるのである。
【００１３】
【発明が解決しようとする課題】
ところで、上述のように、負荷Ｌをタイムスケジュールに従って制御するために、接点入力端末器２にタイマ装置４を接続する構成を採用し、かつ負荷Ｌを個別制御しようとすると、制御対象となる負荷Ｌの個数分の接点出力回路２４ａ〜２４ｄを備えるタイマ装置４が必要になる。また、接点入力端末器２は最大で４回路の負荷Ｌを制御可能であるから、ｎ回路の負荷Ｌを個別制御しようとすれば、ｎ÷４の結果を切り上げた台数（たとえば、ｎ＝５であれば、ｎ÷４＝１．２５であるから、切り上げて２台）の接点入力端末器２が必要になる。
【００１４】
また、図８に示す構成例では、接点入力端末器２が１台当たり１回路の監視入力しか備えておらず、一方、タイマ装置４は４個の接点出力回路２４ａ〜２４ｄを備えるから、ｎ回路の負荷Ｌを個別制御するためには、ｎ÷４の結果を切り上げた台数のタイマ装置４とｎ台の接点入力端末器２が必要になる。タイマ装置４としてｎ個の接点出力回路を備えるものを構成することは可能であるが、タイマ装置４の回路規模が増大して大型化することになる。とくに、タイマ装置４における接点出力回路にはリレーを用いることが多いから、タイマ装置４に内蔵されるリレーの個数の増加によってタイマ装置４が大型化することになる。
【００１５】
いずれにしても、多数の負荷Ｌをタイムスケジュールに従って個別制御しようとすると、上述の構成ではタイマ装置４や接点入力端末器２の台数が多くなったり、規模が大きくなったりすることになり、遠隔監視制御システムの構成要素の個数が増加することになって大きな設置スペースを占有するという問題が生じることになる。
【００１６】
本発明は上記事由に鑑みて為されたものであり、その目的は、大型化することなく多回路の負荷の個別制御を可能とし、かつ接点入力端末器を不要とすることによって構成要素数を少なくするとともに省スペース化を可能とした遠隔監視制御システムのタイマ装置を提供することにある。
【００１７】
【課題を解決するための手段】
請求項１の発明は、それぞれアドレスを備える複数台の端末器が信号線に接続され、信号線に接続された伝送ユニットと前記各端末器との間で時分割多重伝送方式により伝送信号を授受することにより、伝送ユニットがアドレスの対応関係を用いていずれかの端末器における監視入力に対応させて他の端末器による負荷の制御を可能とする遠隔監視制御システムに用いられ、負荷を制御する日時と負荷の制御内容と負荷に対応するアドレスとを対応付けたタイムスケジュールを設定する制御データ入力部と、制御データ入力部で設定された複数個のタイムスケジュールを格納する制御データ記憶部と、現在日時を計時する時計回路と、時計回路により計時されている現在日時と制御データ記憶部に格納されているタイムスケジュールとを照合するタイマ制御部と、前記信号線に接続され負荷を制御する日時が現在日時に一致したタイムスケジュールの負荷の制御内容を監視入力としタイムスケジュールに設定されたアドレスをアドレスとして用いることにより伝送ユニットに対して端末器として動作する端末回路とを１つの器体に備えるものである。
【００１８】
請求項２の発明は、請求項１の発明において、前記端末回路がタイムスケジュールにより設定されたアドレスの有効・無効を選択する選択手段を有し、選択手段は端末回路に固定的に設定される専用アドレスに対応付けられており、信号線上に別途に接続された端末器が専用アドレスに対応付けられ、当該端末器への監視入力に応じて前記選択手段がタイムスケジュールにより設定されたアドレスの有効・無効を選択するものである。
【００１９】
請求項３の発明は、請求項２の発明において、前記選択手段が選択結果を負荷のオンオフと同じ形式で伝送ユニットに返送するものである。
【００２０】
請求項４の発明は、請求項１ないし請求項３の発明において、外部からの同期信号が入力される同期入力回路と、同期入力回路に同期信号が入力されると前記時計回路を規定時刻に時刻合わせするとともに時計回路で計時されている時刻が規定時刻になると同期信号を生成する時計同期処理部と、時計同期処理部から出力された同期信号を外部に出力する同期出力回路とが付加されているものである。
【００２１】
請求項５の発明は、請求項１ないし請求項４の発明において、前記タイムスケジュールの編集が可能な外部装置との間で双方向に通信可能とする外部入出力回路と、外部入出力回路を通して接続された外部装置と前記制御データ記憶部との間で前記タイムスケジュールを相互に転送可能とする外部データ入出力部とが付加されているものである。
【００２２】
請求項６の発明は、請求項１の発明において、前記伝送ユニットには監視入力に対応する１つのアドレスと制御対象となる複数の負荷に対応する複数のアドレスとを対応付けた一括制御用の関係データが格納される書換可能な制御テーブルが設けられ、さらに伝送ユニットが前記信号線を通して伝送される前記伝送信号により制御テーブルの書き換えが要求されると伝送信号を用いて伝送された関係データを制御テーブルに書き込む機能を有し、前記タイムスケジュールには日時と関係データとを対応付けた特殊スケジュールが含まれ、前記端末回路では、タイムスケジュールの日時が現在日時に一致したとき、そのタイムスケジュールが特殊スケジュールであるときは、伝送ユニットに対して制御テーブルの書き換えを要求し、伝送信号により関係データを伝送ユニットに転送するものである。
【００２３】
請求項７の発明は、請求項６の発明において、前記伝送ユニットが前記信号線を通して伝送される前記伝送信号により制御テーブルの読み出しが要求されると伝送信号を用いて制御テーブルの関係データを信号線に送出する機能を有し、前記端末回路が伝送ユニットに対して制御テーブルの読み出しを要求し、信号線に送出された関係データを前記制御データ記憶部に格納する機能を有し、前記制御データ入力部が制御データ記憶部に格納された関係データを編集する機能を有するものである。
【００２４】
請求項８の発明は、請求項１の発明において、前記信号線に接続された前記端末器のうち表示機能を備えた端末器に対応付けるアドレスが制御データ記憶部に設定され、前記端末回路がこのアドレスを用いることにより表示機能を備える端末器に表示内容を転送するものである。
【００２５】
請求項９の発明は、請求項１の発明において、前記端末回路が前記信号線に接続された前記端末器への監視入力に基づいて生成された伝送信号を受信する側の端末器としての機能を有し、前記タイマ制御部が端末回路を通して受信した伝送信号の内容をタイムスケジュールによる負荷の制御とともに用いて端末回路への監視入力を生成する機能を有するものである。
【００２６】
請求項１０の発明は、請求項１の発明において、前記伝送ユニットには前記負荷の動作状況が格納される負荷監視テーブルが設けられ、さらに伝送ユニットが前記信号線を通して伝送される前記伝送信号により負荷監視テーブルの内容の読み出しが要求されると伝送信号を用いて負荷監視テーブルの内容を信号線に送出する機能を有し、前記端末回路が伝送ユニットに対して負荷監視テーブルの読み出しを要求し、信号線に送出された負荷監視テーブルの内容を取得して制御データ記憶部に格納する機能を有するものである。
【００２７】
請求項１１の発明は、請求項１の発明において、前記タイムスケジュールを設定する一部の時刻に名称を対応付け、前記制御データ入力部が当該名称を用いてタイムスケジュールを設定する機能を有するものである。
【００２８】
【発明の実施の形態】
（第１の実施の形態）
本実施形態において用いるタイマ装置５は、図１に示すように、タイムスケジュールを設定するための制御データ入力部１１と、制御データ入力部１１により設定されたタイムスケジュールを記憶する制御データ記憶部１２と、現在日時を計時する時計回路１３と、時計回路１３により計時されている現在日時と制御データ記憶部１２に格納されているタイムスケジュールの日時とを比較するタイマ制御部１０とを備える。ここに、本実施形態では負荷Ｌを制御する日時として年月日および時分の設定が可能となっており、時計回路１３においては年月日時分秒を計時する。タイマ制御部１０は、信号線Ｌｓに接続されて遠隔監視制御システムの端末器として機能する端末回路１４に接続されており、端末回路１４を通して伝送ユニット１に監視データを伝送する。また、タイマ装置５は１つの器体に収納されている。
【００２９】
ここで、端末回路１４は、接点入力端末器２とは異なり、タイマ制御部１０から与えられるアドレスを用いて端末器としての動作が可能になっている。つまり、端末回路１４は、タイマ制御部１０から端末回路１４にアドレスを与えると、そのアドレスを用いて伝送ユニット１との間で伝送信号Ｖｓを伝送することができる。また、端末回路１４には、監視データを生成するための監視入力もタイマ制御部１０から入力される。ここに、本実施形態で用いる監視入力は無電圧接点入力ではなく、負荷Ｌの制御内容を指示する信号を用いる。
【００３０】
上述のように、端末回路１４にはタイマ制御部１０からアドレスおよび監視入力を与えるから、タイマ制御部１０に入力されるタイムスケジュールには、負荷Ｌを制御する日時だけではなく、制御対象である負荷Ｌを接続した制御端末器３と対応付けられているアドレスと、負荷Ｌの回路に対応する監視入力の回路（以下、負荷番号という）とが設定される。ここに、負荷番号は１台の制御端末器３により制御可能な４回路の負荷Ｌ（つまり、４回路の監視入力）の１つを特定するものである。この負荷番号に相当する情報は、負荷Ｌの制御を行う伝送信号Ｖｓでは制御データ信号ＣＤの各ビットに対応付けられ、監視データを伝送する伝送信号では信号返送期間ＷＴに伝送ユニット１に伝送される電流モードの信号の各ビットに対応付けられる。すなわち、制御データ信号ＣＤや電流モードの信号のうちの４ビットを各負荷番号に対応付けておくことにより、負荷番号に対応付けた各ビットの値によって各回路のオンオフを指定する。
【００３１】
タイムスケジュールにおけるアドレスおよび負荷番号は、制御データ入力部１１によるタイムスケジュールの設定時に負荷Ｌの制御日時とともに設定される。ここに、制御データ入力部１１は、押操作される複数個の押釦スイッチと、液晶表示器からなる表示部とを備えて構成されており、押釦スイッチの操作によって表示部に表示される内容を確認しながら制御日時とアドレスおよび負荷番号（以下では、負荷Ｌのアドレスというときにはアドレスと負荷番号との組を意味し、端末器のアドレスというときにはアドレスのみを意味する）とを組にしたタイムスケジュールの設定が可能になっている。
【００３２】
タイムスケジュールを設定する際に意味付けが可能であってかつ使用頻度が高いと考えられる時刻については適宜の名称を与え、この名称を用いてタイムスケジュールを設定しておくのが望ましい。たとえば、会社や学校において使用するのであれば、始業時刻や終業時刻は毎日ほとんど同じ時刻であるから、「始業」や「終業」の名称を用いてタイムスケジュールを設定するようにし（押釦スイッチにも、これらの名称を与えておくのが望ましい）、これらの名称に特定の時刻を割り当てて制御データ記憶部１２に登録しておく。つまり、制御データ記憶部１２においては、名称に特定の時刻を対応付けて記憶させておく。このように使用頻度が高いと思われる時刻に名称を与えるとともに、これらの名称を用いてタイムスケジュールを設定すれば、タイムスケジュールの設定時における制御日時の入力に際して数値を入力することなく名称を入力すればよいことになり、入力作業が簡単になるとともに、誤入力を低減することができる。また、名称を付与している時刻については、対応付けた時刻を変更するだけで、これらの名称を用いて設定したタイムスケジュールにおける制御時刻を一斉に変更することが可能になる。なお、制御データ記憶部１２には複数組のタイムスケジュールが格納可能になっている。
【００３３】
このようにして設定されたタイムスケジュールが制御データ記憶部１２に格納され、タイマ制御部１０ではタイムスケジュールに含まれる制御日時が時計回路１３において計時されている現在日時に一致すると、タイムスケジュールに含まれるアドレスおよび負荷番号を端末回路１４に与え、タイマ制御部１０から与えられたアドレスを用いて負荷番号の情報を含む監視データが伝送ユニット１に伝送されるのである。
【００３４】
つまり、タイマ制御部１０では時計回路１３から出力される年月日時分秒を監視しており、分が変わると制御データ記憶部１２に設定されたタイムスケジュールの中で年月日時分の一致するものがあるか否かを照合する。ここで、制御データ記憶部１２に格納されているタイムスケジュールについて、年月日時分が時計回路１３で計時している年月日時分と一致するものがあるときには、タイムスケジュールに登録されているアドレスを端末回路１４に与えるとともに、負荷番号を含む監視入力を端末回路１４に与えることによって、端末回路１４が伝送ユニット１に対して割込信号Ｖｉを発生し、伝送ユニット１に監視データを伝送するのである。
【００３５】
以後の処理は従来構成と同様であって、伝送ユニット１では監視データが伝送されてきたアドレスに対応付けられている制御端末器３のアドレスを抽出し、その制御端末器３に対して監視データに基づいて生成した制御データを伝送することにより負荷Ｌを制御する。つまり、負荷Ｌはタイムスケジュールに従って制御されることになる。
【００３６】
従来構成としても説明したように、遠隔監視制御システムでは、１回路の監視入力に１回路の負荷Ｌを対応させる個別制御だけではなく、１回路の監視入力によって複数回路の負荷Ｌを対応付けて一括制御するパターン制御やグループ制御が可能であり、また調光制御も可能であるから、アドレスと負荷番号との組合せに代えて、パターン制御、グループ制御、調光制御の別を指定するデータをタイムスケジュールに設定しておけば、これらの制御が可能になる。つまり、端末回路１４は、監視入力が個別制御以外の制御を指定している場合に、それぞれの制御に対応した内容の動作が可能になるように構成されている。
【００３７】
ところで、制御データ記憶部１２に格納される１組のタイムスケジュールは、図２に示すように、９バイトで構成されている。このタイムスケジュールのフォーマットについて、上位ビットから順に説明する。最上位ビットは１ビットの空データフラグＮＤＦであって、空データフラグＮＤＦは０であれば正常であるが、１であればタイムスケジュールに内容が設定されていないか不正であることを意味する。次の１ビットは未使用であり、次の２ビットは端末回路１４によって負荷Ｌをどのように制御するかを表す動作方式データＭＯであって、００であると個別制御、０１であると調光制御、１０であるとグループ制御、１１であるとパターン制御を意味する。また、次の２ビットはタイムスケジュールの日時の設定の態様を示す種別データＶＴであって、００であると年月日時分による設定（通常制御）、０１であると一定の繰り返し時間毎に同じ動作を繰り返す設定（繰り返し制御）、１０であれば日出時刻および日入時刻を用いる設定（ソーラ制御）を意味する。ここに、本実施形態におけるタイマ装置５は、基準となる地域の年間の日出時刻および日入時刻の基準データを記憶しており、基準データに対して使用地域による補正を加えることによって使用地域の日出時刻および日入時刻を自動的に演算するように構成されている。したがって、使用者は日出時刻および日入時刻という形でタイムスケジュールを設定すると、タイマ制御部１０においては各使用地域での年間の各月日における実際の日出時刻および日入時刻を求め、求めた日出時刻および日入時刻を時計回路１３で計時されている日時と比較することによって、タイムスケジュールに従った負荷Ｌの制御を行うことになる。
【００３８】
種別データＶＴの次の１ビットは未使用であり、その下位９ビットは各ビットがそれぞれ１つの曜日に対応するスケジュールデータＳＣになっている。つまり、スケジュールデータＳＣの最下位ビットから７ビットは順に月曜日、火曜日、……、日曜日に対応し、さらに上位２ビットは２日分の特日に対応する（特日１、特日２）。このタイマ装置５は基本的には１週間単位で同じタイムスケジュールを繰り返す週間タイマであって、タイムスケジュールを実行する日を曜日によって指定可能になっている（指定する曜日のビットに１をセットする）。また、行事の都合などにより特定の日にのみ通常のタイムスケジュールとは異なるタイムスケジュールを用いようとするときには特日が選択される。
【００３９】
スケジュールデータＳＣの次の下位８ビットは、制御対象となる負荷Ｌを指定するためのアドレスデータＤＤであり、この部分のデータは動作方式ＭＯの設定内容に応じて解釈が変更される。個別制御の際には８ビットのうち６ビットがアドレス、２ビットが負荷番号になる。また、調光制御の際には下位５ビットが制御対象を表す。さらに、グループ制御やパターン制御の際には、グループやパターンを分類するためのグループ番号やパターン番号が設定され、グループ番号は下位７ビット、パターン番号は下位６ビットで設定される。ここにおいて、調光制御のための調光アドレスは３２回路、グループ制御は１２７グループ、パターン制御は７２パターンが設定可能になっている。
【００４０】
残りの６バイト（４８ビット）は時分の設定に用いられる。ここに、１つのタイムスケジュールのフォーマットの中に時分データ（Ｈ１〜Ｈ３は時データ、Ｍ１〜Ｍ３は分データ）を３組設定することができ、最上位の組にはオンに関する時間（通常制御ではオンにする時刻、ソーラ制御では日入時刻を基準として調節する時間、繰り返し制御ではオン期間）が設定され、次の組にはオフに関する時間（通常制御ではオフにする時刻、ソーラ制御では日出時刻を基準として調節する時間、繰り返し制御ではオフ期間）が設定される。また、最下位の組は、ソーラ制御の際には日出時刻や日入時刻とは無関係な定時刻が設定され、繰り返し制御の際には繰り返し間隔の時間が設定される。さらに、各時データＨ１〜Ｈ３の上位には時分データＨ１〜Ｈ３，Ｍ１〜Ｍ３が設定されているか否かを表す有効フラグＥＦ１〜ＥＦ３が設けられれ（有効フラグＥＦ１〜ＥＦ３は１であるときに時分データＨ１〜Ｈ３，Ｍ１〜Ｍ３が設定されていることを意味する）、２つの有効フラグＥＦ１，ＥＦ２の次の下位ビットは、それぞれソーラ制御の際に日出時刻や日入時刻を基準にしてより早い時刻に調節するかより遅い時刻に調節するかを選択することを可能にする早遅フラグＴＲＦ１，ＴＲＦ２が設けられる。早遅フラグＴＲＦ１，ＴＲＦ２は、０であれば早めることを意味し、１であれば遅めることを意味する。
【００４１】
制御データ入力部１１は、タイムスケジュールとして図２に関して説明した内容が設定可能となるように構成されている。しかるに、本実施形態では制御データ記憶部１２において上述したタイムスケジュールを３０個記憶させることが可能になっており、最大では３０回路の負荷Ｌを個別に制御することが可能になっている。つまり、図８に示した従来構成で言えば３０個の接点出力回路をタイマ装置に設けたことに相当する。制御データ記憶部１２として容量のより大きいものを用いれば、タイムスケジュールの設定個数をさらに増やすことも可能である。
【００４２】
上述したフォーマットを有するタイムスケジュールを制御データ記憶部１２に登録することによって、以下のような制御が可能になる。ここでは、基本的に負荷Ｌが照明負荷であることを想定して説明する。
【００４３】
いま、タイムスケジュールにおいて、動作方式データＭＯが個別制御（ＭＯ＝００）、種別データＶＴが通常制御（ＶＴ＝００）、アドレスデータＤＤが（１−１）の負荷Ｌを制御する指定（つまり、アドレスが１、負荷番号が１の負荷）であり、時分データＨ１，Ｍ１が２３：００（ＥＦ１＝１、Ｈ１＝２３、Ｍ１＝００）であるとする。この設定は個別制御の設定であって、２３：００に（１−１）の負荷をオンにすることを意味する。
【００４４】
一方、グループ制御の場合には、タイムスケジュールを次のように設定すればよい。ここで、制御対象となるグループ番号がＧ１であるものとし、グループ番号Ｇ１に関連付けられた負荷Ｌの（アドレス−負荷番号）が（１−１）、（１−２）、（１−３）であるものとする。この場合、グループ番号Ｇ１を指定すると（１−１）、（１−２）、（１−３）の３個の負荷Ｌを一括してオンまたはオフに制御することが可能になる。グループ番号Ｇ１の負荷Ｌを１２：００に一括してオフにするには、タイムスケジュールの動作方式データＭＯをグループ制御（ＭＯ＝１０）、種別データＶＴを通常制御（ＶＴ＝００）、アドレスデータＤＤをＧ１（ＤＤ＝１）、時分データＨ１，Ｍ１を１２：００（ＥＦ１＝１、Ｈ１＝１２、Ｍ１＝００）とすればよい。
【００４５】
また、パターン番号Ｐ１が、（１−１）の負荷Ｌをオン、（１−２）の負荷Ｌをオン、（１−３）の負荷Ｌをオフにするように関連付けられているときに、パターン番号Ｐ１で負荷Ｌを８：００に制御するとすれば、タイムスケジュールは以下のように設定される。つまり、動作方式データＭＯをパターン制御（ＭＯ＝１１）、種別データＶＴを通常制御（ＶＴ＝００）、アドレスデータＤＤをＰ１（ＤＤ＝１）、時分データＨ１，Ｍ１を８：００（ＥＦ１＝１、Ｈ１＝８、Ｍ１＝００）とする。
【００４６】
制御の種別ＶＴとして繰り返し制御を選択し、たとえば８：００から１２：００までの間、３０分間隔でパターン番号Ｐ１で負荷Ｌを制御する場合にはタイムスケジュールは以下のように設定される。すなわち、動作方式データＭＯがパターン制御（ＭＯ＝１１）、種別データＶＴが繰り返し制御（ＶＴ＝０１）、アドレスデータＤＤがＰ１（ＤＤ＝１）、時分データＨ１，Ｍ１が８：００（ＥＦ１＝１、Ｈ１＝８、Ｍ１＝００）、時分データＨ２，Ｍ２が１２：００（ＥＦ２＝１、Ｈ２＝１２、Ｍ２＝００）、時分データＨ３，Ｍ３が３０分（ＥＦ３＝１、Ｈ３＝０、Ｍ３＝３０）になる。
【００４７】
以下同様に各種設定例について例示する。日入時刻の１時間前にグループ番号Ｇ１の負荷Ｌをオンにするには、タイムスケジュールを以下のように設定する。動作方式データＭＯをグループ制御（ＭＯ＝１０）、種別データＶＴを通常制御（ＶＴ＝００）、アドレスデータＤＤをＧ１（ＤＤ＝１）、時分データＨ１，Ｍ１を１時間（ＥＦ１＝１、Ｈ１＝１、Ｍ１＝００）とする。
【００４８】
月曜日から金曜日まで、日入時刻の１時間前に、グループ番号Ｇ１の負荷Ｌをオンに制御するには、以下のようにタイムスケジュールを設定する。すなわち、動作方式データＭＯをグループ制御（ＭＯ＝１０）、種別データＶＴを通常制御（ＶＴ＝００）、スケジュールデータＳＣを月曜日から金曜日まで有効（各曜日に対応するビットを１）、アドレスデータＤＤをＧ１（ＤＤ＝１）、時分データＨ１，Ｍ１を１時間（ＥＦ１＝１、Ｈ１＝１、Ｍ１＝００）とする。
【００４９】
２０００年５月１日の８：００にパターン番号Ｐ１で負荷Ｌを制御する場合には、動作方式データＭＯをパターン制御（ＭＯ＝１１）、種別データＶＴを通常制御（ＶＴ＝００）、スケジュールデータＳＣの特日を有効（たとえば、特日１のビットを１）、アドレスデータＤＤをＰ１（ＤＤ＝１）、時分データＨ１，Ｍ１を８：００（ＥＦ１＝１、Ｈ１＝８、Ｍ１＝００）とする。ここで、特日の具体的な年月日はタイムスケジュールのフォーマット内で設定せず、別途に登録しておく。この場合、特日に年月日が指定されていれば特定の年月日になり、月日のみが指定されて年が指定されていなければ毎年同月日に同じ制御が繰り返される。つまり、毎年１月１日の０：００にパターン番号Ｐ１で負荷Ｌを制御するには、タイムスケジュールについては２０００年５月１日と同じ内容とし、特日の具体的な年月日として１月１日という設定にすればよい。
【００５０】
調光制御を行う場合には、以下のような形でタイムスケジュールが設定される。たとえば、調光アドレスが２の負荷Ｌについて、８：００〜１０：００は８０％、１１：００〜１２：００は５０％、１２：００〜１３：００は１０％、１３：００〜１５：００は５０％、１５：００〜１７：００は８０％、１７：００〜２０：００は１００％、日入時刻〜日出時刻は１００％、日出時刻〜日入時刻は８０％などと設定しようとすれば、各時間帯ごとにタイムスケジュールを設定すればよい。ここに、定格点灯時に負荷Ｌに供給する電力を１００％とするときの百分率で調光比（調光レベル）を表している。タイムスケジュールには調光比を登録することができないから、調光制御の際の調光比は別途に設定される。
【００５１】
ところで、１台のタイマ装置５ではタイムスケジュールの設定個数（つまり、制御データ記憶部１２の容量）が不足する場合に備えて、本実施形態では図３に示すように複数台（図では３台）のタイマ装置５を連動させて用いることが可能になっている。このため、時計回路１３には他のタイマ装置５の時計回路１３との同期をとることができる時計同期処理部１５が付加され、時計同期処理部１５には他のタイマ装置５の時計回路１３に接続するための同期入力回路１６および同期出力回路１７が接続される。
【００５２】
時計同期処理部１５は、時計回路１３で計時されている時刻が規定時刻になった時点で同期信号を生成し、同期出力回路１７を通して同期信号を外部に送出するように構成されており、一方、同期入力回路１６に外部から同期信号が入力されると時計回路１３で計時している時刻を規定時刻に合わせる機能を有している。さらに、時計同期処理部１５は外部からの同期信号によって時計回路１３を規定時刻に合わせたときには、その時点で同期出力回路１７を通して外部に同期信号を出力させる。ここで、規定時刻は１日１回として午前０時としたり、毎正時などとすることができる。
【００５３】
いま、時計回路１３で計時されている時刻が時計同期処理部１５で規定されている規定時刻になる前に同期入力回路１６を通して同期信号が入力されたとすると、時計回路１３を規定時刻に合わせるように早送りし、同時に同期出力回路１７を通して外部に同期信号を送出する。
【００５４】
また、時計回路１３で計時されている時刻が時計同期処理部１５で規定されている規定時刻が経過した後に同期入力回路１６を通して同期信号が入力されたときには、時計同期処理部１５ではすでに同期信号を出力した後であるから、時計回路１３で計時している時刻を規定時刻に合わせるように戻し、同時に同期出力回路１７を通して同期信号を外部に出力する。
【００５５】
結局、同期出力回路１７を他の同期入力回路１６に接続する関係として複数台のタイマ装置５を順次接続しているとすれば、最前段のタイマ装置（同期入力回路１６に他のタイマ装置５が接続されていないタイマ装置）５の時計回路１３で計時している時刻に他のタイマ装置５の時計回路１３の時刻が一致することになる。
【００５６】
ただし、同期させるタイマ装置５は、図３に示すような接続関係になるから、同期させる複数のタイマ装置５のうちの１台は他のタイマ装置５からの同期信号を受けることができない。たとえば、図３においては上下３台のタイマ装置５のうち下の２台のタイマ装置５は他のタイマ装置５から同期信号を受けることができるが、上の１台のタイマ装置５は他のタイマ装置５から同期信号を受けていない。したがって、このタイマ装置５には同期入力回路１６から上記規定時刻に同期信号を入力させるために別途に時計などを設けることが必要になる。そこで、本実施形態では、端末回路１４において時計回路１３の時刻合わせに用いるために、制御端末器３に相当する特定のアドレス（負荷番号を含む）を設定しておき、この特定のアドレスによってオンの指示があるとタイマ制御部１０から時計同期処理部１５に時刻合わせの指示を与えるようにしてある。つまり、上述した特定のアドレスに対応する状態は常時はオフであって、時刻合わせは行われないが、タイマ装置５が同期入力を受付可能な状態であるときに上述した特定のアドレスに対応する状態としてオンの指示を受け取ると、タイマ装置５は同期入力回路１６を通して同期信号を受けたときと同様に時刻合わせを行うとともに、同期出力回路１７を通して同期信号を外部に出力する。したがって、伝送ユニット１から時刻合わせ用の信号を自動的に発生させたり、接点入力端末器２を通して時刻合わせ用の信号を発生させることが可能になる。図示例では接点入力端末器２に監視入力を与えるためのスイッチを組み合わせたスイッチ端末器２′を信号線Ｌｓに接続してあり、このスイッチ端末器２′に上述した特定のアドレスを対応付け、スイッチ端末器２′に設けたスイッチの操作によって時計回路１３の時刻合わせがなされるようにしてある。なお、伝送ユニット１から時刻合わせ用の信号を自動的に発生させる構成とすれば、他の構成を追加することなく時刻合わせが可能になる。
【００５７】
さらに、タイマ制御部１０では端末回路１４が特定のアドレスに対応する指示を受け取る機能を用いることにより、タイムスケジュールとして設定している負荷Ｌのオンオフを強制的に実行させることも可能になっている。つまり、端末回路１４の特定のアドレスに対応付けたスイッチ端末器２′のスイッチが操作されてオンの指示がなされたとすると、この特定のアドレスに対応付けたアドレスを有するタイムスケジュールのうち、スイッチが操作された時刻の後でもっとも近い時刻を含むタイムスケジュールの内容が強制的に実行されるのである。たとえば、アドレス（負荷番号を含む）が（０−１）であるスイッチ端末器２′からのオンの指示を受けて負荷Ｌを１０：００に制御するようなタイムスケジュールを強制的に実行するものとすれば、タイムスケジュールには（０−１）に対応付けた特定のアドレスデータを設定するとともに制御日時を１０：００に設定しておく。このようなタイムスケジュールが設定されていると、９：３０に（０−１）のスイッチが操作されたとしても、タイムスケジュールに設定された１０：００における状態になるように負荷Ｌが制御されることになる。
【００５８】
本実施形態のタイマ装置５では、制御データ入力部１１によらずにタイムスケジュールを設定することも可能になっている。すなわち、パーソナルコンピュータのようなタイムスケジュールの編集が可能な外部装置との間で双方向に通信可能な外部入出力回路１８が設けられ、外部入出力回路１８を通して外部データ入出力部１９にタイムスケジュールを与えることで、外部データ入出力部１９が制御データ記憶部１２にタイムスケジュールを書き込むようになっている。外部入出力回路１８としては、たとえばＲＳ２３２Ｃ規格のインタフェースを用いたり、コンピュータネットワークに接続可能なインタフェースを用いたりする。したがって、パーソナルコンピュータのような外部装置を用いてタイムスケジュールを設定し、タイマ装置５の外部入出力回路１８を通してタイムスケジュールをタイマ装置５に転送すれば、外部装置で作成したタイムスケジュールを制御データ記憶部１２に設定登録することができる。
【００５９】
また、外部入出力回路１８および外部データ入出力部１９は、制御データ記憶部１２に格納されたタイムスケジュールを、外部装置との間で双方向に伝送可能であって、制御データ記憶部１２に格納されているタイムスケジュールを外部装置に転送することも可能になっている。したがって、制御データ入力部１１により設定されたタイムスケジュールを外部装置に取り込むことによって、タイムスケジュールによる負荷Ｌの制御内容を分析することが可能であり、負荷Ｌが照明負荷であればより快適な照明空間が得られることを目的としてタイムスケジュールを調整したり、省エネルギを目的としてタイムスケジュールを調整したりすることができる。調整後のタイムスケジュールは制御データ記憶部１２に転送されて再登録される。
【００６０】
上述したように、本実施形態のタイマ装置５は遠隔監視制御システムにおける端末器としての機能を備えている。そこで、本実施形態では、タイマ装置５の端末器としての機能を利用して、タイマ装置５に関する一部の制御を信号線Ｌｓに接続した設定キャンセルスイッチ６，７の操作によって行えるようにしてある。設定キャンセルスイッチ６，７の操作によりタイマ装置５の特定の機能を利用するために、タイマ装置５の端末回路１４にはタイムスケジュールによって与えられるアドレス以外に、特定の機能を利用するための専用アドレスが固定的に設定されている（図示例では専用アドレスが２個設定されているものとする）。
【００６１】
この種の専用アドレスを用いてタイマ装置５を制御するための機能としては、タイムスケジュールによる負荷Ｌの制御の中止と再開とを選択する機能と、特日のみタイムスケジュールによる負荷Ｌの制御の中止と再開とを選択する機能とがある。図示例では設定キャンセルスイッチ６が前者、設定キャンセルスイッチ７が後者に対応付けられているものとする。
【００６２】
タイマ装置５の端末回路１４においては、設定キャンセルスイッチ６に対応付けられている専用アドレスに一致する伝送信号Ｖｓを受信すると、設定キャンセルスイッチ６からの指示がオン（有効）かオフ（無効）かを判断し、オンであればタイマ制御部１０から入力されたアドレスを有効にし、オフであればタイマ制御部１０から入力されたアドレスを無効にする選択手段（図示せず）を備える。つまり、オフのときに伝送ユニット１との間では専用アドレスのみが有効になり、タイムスケジュールにより設定されたアドレスは無効になるから、タイムスケジュールは実行されない。したがって、設定キャンセルスイッチ６の操作によりタイマ装置５による負荷Ｌの制御の有効・無効をタイマ装置５の遠方で選択することが可能になる。たとえば、タイマ装置５が管理室などに配置されている場合でも設定キャンセルスイッチ６を別途の場所に設けてタイムスケジュールによる負荷Ｌの制御の有効・無効を選択することができる。なお、設定キャンセルスイッチ６には負荷Ｌのオンオフを指示する通常の端末器（接点入力端末器に監視入力を与えるスイッチを設けたもの）を用いることができる。
【００６３】
一方、特日についてのみタイムスケジュールの有効・無効を選択可能にするために、タイマ装置５の端末回路１４においては、設定キャンセルスイッチ７に対応付けられている専用アドレスに一致する伝送信号Ｖｓを受信すると、設定キャンセルスイッチ７からの指示がオン（有効）かオフ（無効）かを判断し、オフであるときには、特日１、特日２として設定されているタイムスケジュールのアドレスを無効にする。要するにタイムスケジュールによる負荷Ｌの制御の有効・無効を選択する設定キャンセルスイッチ６をほぼ同様の機能であって、設定キャンセルスイッチ７は特日１、特日２のタイムスケジュールに対してのみ機能する点が相違するだけである。したがって、設定キャンセルスイッチ７には負荷Ｌのオンオフを指示する通常の端末器（接点入力端末器に監視入力を与えるスイッチを設けたもの）を用いることができる。
【００６４】
なお、設定キャンセルスイッチ６，７による選択状態が有効・無効のいずれであるかを知るために、設定キャンセルスイッチ６，７には有効と無効とをそれぞれ表す異なる発光色の２個の発光ダイオードからなる有効・無効表示灯が設けられている。有効・無効表示灯の点灯・消灯は以下の手順で指示される。すなわち、設定キャンセルスイッチ６，７の操作によって伝送ユニット１からタイマ装置５に対してタイムスケジュールの有効・無効を指示する伝送信号Ｖｓが伝送されると、その伝送信号Ｖｓの信号返送期間ＷＴにはタイマ装置５の端末回路１４においてタイムスケジュールを有効にしたか否かの情報が返送される。この情報は負荷Ｌを制御したときに負荷Ｌを接続した制御端末器３が負荷Ｌのオンオフに対応して伝送ユニット１に返送する信号と同じ形式のものである。そこで、伝送ユニット１では端末回路１４からの返信信号の内容に応じて設定キャンセルスイッチ６，７に対して、有効・無効表示灯の点灯・消灯を指示する伝送信号Ｖｓを伝送し、これによって有効・無効表示灯が点灯・消灯することになる。ここにおいて、有効・無効表示灯は上述のように２個の発光ダイオードからなり、有効か無効かに応じていずれか一方の発光ダイオードが点灯することになる。一般にスイッチを設けた端末器には負荷Ｌのオンとオフとを示す２個の発光ダイオードを備えているから、設定キャンセルスイッチ６，７としてスイッチを備える一般の端末器を用いることによって、負荷Ｌのオン・オフを示す表示灯を有効・無効表示灯として用いることができる。
【００６５】
ところで、信号線Ｌｓに調光用のスイッチを備える端末器（以下、調光スイッチという）が接続されているときには、調光スイッチを用いて負荷Ｌを制御するまでの時限時間を設定することが可能になっている。この制御は一種の遅れ制御であって、この制御による負荷Ｌの制御状態はタイマ装置５においてあらかじめ規定されているものとする。したがって、時限時間を設定すると、時限時間の終了時点において負荷Ｌが規定された制御状態に制御されるのである。
【００６６】
具体的には、時限時間の設定には調光スイッチにより調光レベルの設定操作と同様の操作を行う。つまり、調光スイッチは負荷Ｌのオンオフを指示するオンオフスイッチと、負荷Ｌの調光レベルを制御する操作部（一般には光出力を増加させるアップスイッチと、減少させるダウンスイッチ）とを備えるから、まずオンオフスイッチを操作してオンを選択し、その後、調光レベルを上昇させる（光出力を増加させる）ように調光スイッチを操作すると時限時間が長くなり、調光レベルを低下させるように調光スイッチを操作すると時限時間が短くなる。調光スイッチにより設定された調光レベルはタイマ装置５に転送され（このため、タイマ装置５には調光スイッチと関連付けた専用のアドレスを設定しておく）、タイマ装置５では調光レベルを取得して記憶する。この時点でタイマ装置５では調光レベルを時間に換算して時限動作を開始する（時間をカウントダウンする）。こうして時限動作が終了すると（つまり、カウントダウンによって設定された時間が０になると）負荷Ｌをあらかじめ規定された制御状態に制御する。時限動作中には、タイマ装置５から調光スイッチに対してカウントダウンした時間に相当する調光レベルを逐次転送し、この調光レベルを調光スイッチに設けたレベル表示灯（複数個の発光ダイオードを一列に並べ、調光レベルに応じて点灯数を変化させる表示灯）に反映させる。要するに調光スイッチのレベル表示灯の調光レベルが時間経過に伴って低下することによって、タイマ装置５において時限動作中であることが示される。なお、上述のような時限動作を途中で終了させるには、調光スイッチのオンオフスイッチをオフにし、また時限時間を増減を行うときには、調光レベルを増減させるように調光スイッチの操作部を操作する。
【００６７】
上述した動作と同様の動作によって、タイムスケジュールの実行開始までの時間を示すために調光スイッチを用いることが可能である。つまり、タイムスケジュールの実行までの時間を予告するように調光スイッチのレベル表示灯の表示を変化させるのである。換言すれば、タイムスケジュールが実行されるまでの時間のカウントダウンをタイマ装置５で行い、カウントダウンした時間に相当する調光レベルをタイマ装置５から調光スイッチに対して逐次転送し、カウントダウンした時間をレベル表示灯の表示に反映させるのである。
【００６８】
この動作を可能とするために、タイマ装置５ではカウントダウンの時間を表示させる特定の調光スイッチのアドレスと、カウントダウンの時間の表示を行うタイムスケジュールとを指定して制御データ記憶部１２に格納しておく。タイマ制御部１０では、制御データ記憶部１２に格納されたタイムスケジュールを先読みしているから、先読みしたタイムスケジュールがカウントダウンの対象であるときには、タイムスケジュールにより指定された時刻の数分前に上述した特定の調光スイッチに対してレベル表示灯の点灯を指示し、時間経過とともにカウントダウンを行って、タイムスケジュールの実行までの残り時間を調光スイッチのレベル表示灯によって表示する。こうして、カウントだスンによる残り時間が０になるとレベル表示灯により表示されるレベルを０にし、このときタイムスケジュールに従う負荷Ｌの制御が実行される。なお、上述のようなカウントダウンの動作を途中で終了させるには、調光スイッチのオンオフスイッチをオフにし、またカウントダウンの時間を増減させるときには、調光レベルを増減させるように調光スイッチのアップスイッチやダウンスイッチを操作する。このような操作によって、特定のタイムスケジュールに対する負荷Ｌの制御を中止したり延期することが可能になる。
【００６９】
（第２の実施の形態）
本実施形態は、図４に示すように、基本的な構成は第１の実施の形態と同様であるが、第１の実施の形態では制御データ記憶部１２に登録されるタイムスケジュールが、負荷Ｌの制御日時とアドレスおよび負荷番号との組のみであって、制御日時が現在日時に一致したときに負荷Ｌを制御する機能のみを有していたのに対して、本実施形態は、タイムスケジュールとしてグループ制御やパターン制御のための関係データを設定可能とした点が相違する。
【００７０】
伝送ユニット１には、監視入力に対応するアドレスおよび負荷番号と、一括制御の制御対象となる複数の負荷Ｌに対応する複数のアドレスおよび負荷番号とを対応付けた関係データを格納した制御テーブル（図示せず）が設けられる。制御テーブルには、従来構成としても説明したように、ＥＥＰＲＯＭのような書換可能な不揮発性のメモリが用いられる。ここで、従来構成では、制御テーブルに関係データを設定するには、関係データを制御テーブルに設定することができる設定装置を伝送ユニット１に接続することが必要であったが、本実施形態で用いる伝送ユニット１は、信号線Ｌｓを通して伝送される伝送信号を用いて制御テーブルへの関係データの書き換えを可能とする機能を有している。したがって、伝送信号によって制御テーブルの書き換えが可能になっている。
【００７１】
このことを前提として、本実施形態のタイマ装置５では、制御データ記憶部１２に格納されるタイムスケジュールとして、転送日時と関係データとの組からなる特殊スケジュールが含まれている。つまり、複数種類の関係データを制御データ記憶部１２に格納しておき、タイマ制御部１０では現在日時が転送日時に一致すると特殊スケジュールに含まれる関係データを端末回路１４に与える。端末回路１４では、タイムスケジュールが特殊スケジュールであるときに、伝送ユニット１に対して制御テーブルの書き換えを要求し、さらに伝送信号によって特殊スケジュールに含まれている関係データを伝送ユニット１に転送する。ここで、制御テーブルの書き換えの要求は、伝送信号における信号返送期間ＷＴにタイマ装置５から伝送ユニット１に伝送される。また、関係データを信号返送期間ＷＴに伝送すれば、通常の負荷Ｌの制御を妨げることなく関係データを伝送することが可能である。なお、関係データのデータ量が大きい場合には、通常の伝送信号を停止させて関係データのみを伝送することも可能である。
【００７２】
このような構成を採用すれば、同じ関係名（グループ番号やパターン番号）に対応する負荷Ｌを時間帯によって変更することが可能になる。つまり、グループ制御やパターン制御を行う際に、同じ操作をしても、時間帯によって制御対象となる負荷Ｌを変更したり、負荷Ｌの制御内容を変更したりすることができ、負荷制御のバリエーションが広がることになる。
【００７３】
上述のようにタイマ装置５によって関係データを変化させる場合に、多数の関係データを作成することが必要であり、関係データが存在しない状態から新たに関係データを作成するとすれば多くの労力を要することになる。とくに、タイマ装置５を用いてタイムスケジュールを設定するには、比較的少数の押釦スイッチを操作部とする制御データ入力部１１を用いているから、制御データ入力部１１を用いて関係データを作成していたのでは多くの作業時間を要することになる。そこで、本実施形態では、特殊スケジュールの作成時に、伝送ユニット１にあらかじめ登録された関係データを流用できるようにしてある。具体的には以下の構成を採用している。
【００７４】
すなわち、伝送ユニット１は、上述したような制御テーブルの書き換えの要求だけではなく、制御テーブルの読み出しの要求も受け付けるように構成されている。伝送信号により制御テーブルの読み出しが要求されたときには、伝送信号に載せて関係データを信号線Ｌｓに送出するのである。ここに、伝送ユニット１から関係データを送出する際には、制御データ信号ＣＤを関係データとした伝送信号を生成する。また、伝送信号のモードデータ信号ＭＤは関係データの伝送を示すように設定しておく。なお、関係データの大きさによっては伝送信号を用いずに、専用の信号を用いることも可能である。
【００７５】
しかして、タイマ装置５から伝送ユニット１に対して関係データの読み出しを要求したときには、関係データがタイマ装置５に転送されるから、タイマ装置５では伝送ユニット１から読み出した関係データを制御データ記憶部１２に格納する。このようにして制御データ記憶部１２に関係データが格納されれば、制御データ入力部１１によって関係データに転送日時を対応付けたり、関係データの一部を修正したりすることが可能になる。その結果、伝送ユニット１にあらかじめ設定した関係データを流用して、タイマ装置５での特殊スケジュールを比較的少ない労力で作成することが可能になる。たとえば、グループ制御のための関係データに負荷Ｌを追加ないし削除する場合には、制御データ入力部１１から所望の負荷Ｌの追加ないし削除を行うだけの簡単な作業でグループ制御のための関係データを編集することができる。
【００７６】
本実施形態のタイマ装置５では、信号線Ｌｓに接続される接点入力端末器２への監視入力をセンサ８によって与え、センサ８の動作をタイマ装置５で設定したタイムスケジュールとともに用いて負荷Ｌを制御することも可能である。センサ８としては通常のスイッチと同様に、オンとオフとの無電圧接点出力を発生するものを用いる。この種のセンサ８には、周囲照度を検出して周囲が明るいときにオンになり周囲が暗くなるとオフになるような照度センサ、あるいは規定した範囲内に人が存在する間にオンになり人が存在しなくなるとオフになるような人感センサなどを用いることができる。あるいはまた、通常のスイッチをセンサ８として用いることも可能である。
【００７７】
一方、制御端末器３は負荷Ｌである照明負荷を備える照明器具に対してオンオフの指示だけではなく、調光信号を与えることができる調光制御用の制御端末器（以下、「調光制御端末器」という）を用いる。調光制御端末器は伝送信号によって負荷Ｌの点灯と消灯が指示されるほか、伝送信号によって負荷Ｌの調光比が指示され、指示された調光比に対応する調光信号を照明器具に与える。
【００７８】
さらに、本実施形態のタイマ装置５におけるタイマ制御部１０は、端末回路１４を通して伝送ユニット１から受け取った伝送信号によって、調光制御に用いるタイムスケジュールに含まれる調光比を変更する機能を有している。つまり、センサ８を監視入力とする接点入力端末器２のアドレスがタイマ装置５に対応付けられており、タイマ装置５ではセンサ８の出力のオンオフを認識するようにしてある。さらに、タイマ装置５のタイマ制御部１０では、センサ８の出力がオンかオフかに応じて調光制御に用いるタイムスケジュールの調光比を変化させる。ただし、センサ８はオンとオフとの２値しか出力しないから、たとえばセンサ８がオンのときに調光比が８０％、オフのときに調光比が１００％になるように、センサ８のオンオフと調光比とを対応付ける。
【００７９】
上述のような形で照度センサであるセンサ８をタイマ装置５と組み合わせて用いることによって、タイマ装置５にタイムスケジュールとして設定した期間に照明負荷である負荷Ｌを点灯させることができ、さらに負荷Ｌの点灯している期間内においては、周囲が明るくなり（センサ８に規定した照度以上になり）センサ８の出力がオンになると負荷Ｌの調光比を８０％とし、周囲が暗くなりセンサ８の出力がオフになると負荷Ｌの調光比を１００％とするような制御が可能になる。なお、調光比を８０％と１００％とに設定しているが、これは一例であって必要に応じて他のレベルに設定することが可能である。
【００８０】
上述の例ではセンサ８として照度センサを用いているが、オンとオフとの出力を発生するものであれば、人感センサを用いても同様の制御が可能である。つまり、タイマ装置５のタイムスケジュールによって負荷Ｌの点灯する期間を決めておき、負荷Ｌの点灯期間において人感センサが人を検出すると調光比を１００％とし、人感センサが人を検出しない期間には調光比を５０％として点灯させるなどの制御が可能である。また、場合によっては人感センサが人を検出する期間に調光比を８０％として点灯させ、人を検出しない期間には負荷Ｌを消灯させる制御とすることもできる。
【００８１】
タイムスケジュールがグループ制御やパターン制御のような一括制御の場合には、センサ８のオンオフに応じてタイムスケジュールの調光比を変化させるのではなく、制御対象となる負荷Ｌを変化させてもよい。つまり、上述したように、本実施形態のタイマ装置５は伝送ユニット１に設定された関係データを変更することが可能であるから、センサ８のオンオフに応じて伝送ユニット１の関係データを書き換えるようにしてもよい。たとえば、周囲が明るくセンサ８の出力がオンのときには図５（ａ）のように点灯させる負荷（照明負荷）Ｌの個数を少なくし（斜線付きの負荷Ｌは消灯を表す）、周囲が暗くセンサ８の出力がオフのときには図５（ｂ）のように点灯させる負荷Ｌの個数を多くするような制御が可能である。このような制御によって、タイムスケジュールにより負荷Ｌを点灯させるように設定された期間において、センサ８のオンオフに応じて点灯する負荷Ｌの個数を変化させることができ、調光比を制御する場合と同様に、照明負荷による光量の調節が可能になる。
【００８２】
ところで、タイマ装置５は上述のように伝送ユニット１に設定されたグループ制御やパターン制御のような一括制御のための関係データを読み出して制御データ記憶部１２に格納する機能を有しているから、この機能を利用して制御データ記憶部１２に格納した関係データに修正することにより、複数個の負荷Ｌに対する個別制御のタイムスケジュールを生成することが可能である。つまり、伝送ユニット１において一括制御を行うように関係データを設定した複数の負荷Ｌについて、タイマ装置５では個別制御を行うようにタイムスケジュールを設定することが可能になる。このような機能を利用すれば、照明負荷である複数の負荷Ｌを一斉に消灯するような一括制御を行う関係データを修正し、所定時刻になると大部分の照明負荷は消灯させるが、出口付近の照明負荷については他の照明負荷の消灯から所定時間後に消灯させるような制御が可能になる。
【００８３】
伝送ユニット１は関係データのほかに各負荷Ｌのオンオフの状態や調光レベル（つまり、負荷Ｌの動作状況）のデータを記憶する負荷監視テーブルを備えており、本実施形態のタイマ装置５では伝送ユニット１の負荷監視テーブルの内容を取得することも可能になっている。つまり、タイマ装置５は、伝送ユニット１に対して関係データの転送を要求する機能のほか、負荷監視テーブルから負荷Ｌの動作状況のデータをの転送を要求する機能も備えている。したがって、タイマ装置５ではタイムスケジュールによる制御対象となっている負荷Ｌの動作状況に応じて、負荷Ｌの動作内容を変化させることが可能になる。負荷監視テーブルから読み出した負荷Ｌの動作状況は制御データ記憶部１２に格納される。
【００８４】
たとえば、タイムスケジュールにおいて、調光可能な照明負荷である負荷Ｌが制御対象として指定されており、かつタイムスケジュールによる制御を実行しようとする時点で、負荷Ｌの動作状況がすでにオンであるときには、調光比を制御可能な最大値（通常は１００％）あるいは制御可能な最小値とし、負荷Ｌの動作状況がオフであるときにのみタイムスケジュールによる負荷Ｌの制御を実行することが可能になる。この動作は一例であって、タイムスケジュールによる制御を実行しようとするときに負荷Ｌの動作状況がオフであるときに負荷Ｌを規定の状態に制御し、オンであるときにタイムスケジュールによる負荷Ｌの制御を実行するようにしてもよい。他の構成および動作は第１の実施の形態と同様である。
【００８５】
（第３の実施の形態）
本実施形態は、タイマ装置５によって負荷Ｌのオンオフの状態を監視し、電力消費の程度を見積もるものである。すなわち、負荷Ｌは伝送ユニット１からの伝送信号により制御されており、タイマ装置５では伝送ユニット１に対して負荷Ｌの動作状況に関するデータを転送するように要求することが可能であるから、タイマ装置５のタイマ制御部１０では負荷Ｌのオンオフを監視することが可能である。この機能を利用すれば、一定時間（たとえば１日）毎の負荷Ｌのオン期間を積算することによって、電力消費量を見積もるとともに、基準とする電力消費量に対して省エネルギになったかあるいは電力消費量が超過したかを評価することができる。
【００８６】
まず、タイマ装置５を導入した場合とタイマ装置５を導入しない場合とでの電力消費量を比較する評価例について説明する。この場合、基準とする電力消費量はタイマ装置５を導入した場合と導入しない場合との両方であって、たとえば、オフィスにおいて就業時間に照明負荷を連続的に点灯させる場合と、タイマ装置５によって就業時間の一部の時間帯（昼休みなど）には照明負荷を消灯させる場合とを基準の電力消費量に用いる。
【００８７】
いま、タイマ装置５を用いず省エネルギを意識していない場合には、図６（ａ）のように、負荷（照明負荷）Ｌを８：００〜２０：００において連続して点灯させていたものとする。これに対して、タイマ装置５のタイムスケジュールにより、図６（ｂ）のように、負荷Ｌの点灯期間を８：００〜１２：００と１３：００〜１９：００とになるように設定するものとする。タイマ装置５を用いない場合について、負荷Ｌを点灯させる時間帯を電力消費量の評価用の基準値としてタイマ装置５の制御データ記憶部１２に登録しておけば、タイマ装置５のタイマ制御部１０では、実際の負荷Ｌの点灯・消灯の動作状況と登録された基準値とを比較することによって、タイマ装置５を用いた場合と用いない場合とでの電力消費量の程度を評価することができる。
【００８８】
ここで、負荷Ｌの１日における実際の点灯・消灯が、図６（ｃ）のように、手操作で６：００に点灯開始し、タイマ装置５によって１２：００〜１３：００には消灯し、さらに手操作で１８：００に消灯した後には点灯されなかったという動作であったとすれば、タイマ装置５を用いない場合に比較してタイマ装置５を用いた場合のほうが１時間分の省エネルギになることが明らかである。つまり、タイムスケジュールが適正に設定されていれば、タイマ装置５を用いるほうが省エネルギになると言える。
【００８９】
一方、タイマ装置５を用いる場合でも、手操作によって負荷Ｌをオンオフさせるタイミングによっては省エネルギにならない場合がある。この場合における電力消費量の評価は、評価用の基準値として負荷Ｌに対するタイマ装置５のタイムスケジュールを用いることによって行うことができる。つまり、タイムスケジュールによる負荷Ｌの動作と、手操作による負荷Ｌのオンオフを含む負荷Ｌの実際の動作状況とを比較することによって電力消費量の程度を評価することが可能になる。
【００９０】
たとえば、負荷（照明負荷）Ｌについてタイマ装置５によるタイムスケジュールでは、図７（ａ）のように、９：００〜１９：００において連続して点灯させるように設定しているものとして、この動作状況を評価用の基準値に用いる。一方、負荷Ｌの実際の動作状況では、図７（ｂ）に示すように、昼休みなどにおいて手操作でスイッチを操作して負荷Ｌを１時間消灯し、また１９：００以降には点灯させないとすれば、実際の動作では１時間の省エネルギになる。また、図７（ｃ）のようにタイムスケジュールが実行されて負荷Ｌが点灯するよりも前にスイッチの手操作によって負荷Ｌを点灯させたときには、タイムスケジュールによる負荷Ｌの制御よりも点灯時間が長くなったことになり、省エネルギが実現できなかったことになる。つまり、図７（ａ）（ｃ）の比較では、タイムスケジュールによる負荷Ｌの制御を行った場合に対して実際の負荷Ｌの動作状況では２時間分のエネルギ消費の超過が生じたことになる。
【００９１】
上述のようにして省エネルギの程度を評価した結果は、使用者に知らせることによって、省エネルギの意識付けを行う目的で用いることができる。要するに、タイマ装置５を用いているときには、タイマ装置５に設定されたタイムスケジュールにより負荷Ｌのオンが指示されている期間内では他のスイッチの操作によって負荷Ｌをオンオフすれば省エネルギが達成できるが、タイムスケジュールでは負荷Ｌがオフである期間に他のスイッチを操作して負荷Ｌをオンオフさせると、全体としてはタイムスケジュールに従う動作よりもエネルギ消費が大きくなるということの意識付けを行うのである。そこで、省エネルギの程度を表示するための表示器として、本実施形態では調光スイッチを用いる。調光スイッチには負荷Ｌの点灯・消灯を示すオンオフ表示灯と、負荷Ｌの調光レベルを表すレベル表示灯とが設けられているものとする。
【００９２】
調光スイッチのレベル表示灯を省エネルギの程度の表示に用いるには、表示に用いようとする調光スイッチのアドレスをタイマ装置５に対応付けておき、タイマ装置５のタイマ制御部１０で求められた電力消費量の評価において、省エネルギであった場合には、調光スイッチに設けたオンオフ表示灯が負荷Ｌの点灯を示す状態になるようにする。また、省エネルギの程度はレベル表示灯により表す。たとえば、１時間の省エネルギになったときにはレベル表示灯により第１段階のレベルを表示する（たとえば、レベル表示灯を構成する複数個の発光ダイオードのうちの１個だけを点灯させる）。逆に、省エネルギにならない場合には、オンオフ表示灯が負荷Ｌのオフを示す状態になるようにすればよい。また、電力消費量が基準値に対して超過になったことを表したいときには、別の調光スイッチを超過を示すための専用の表示に用いるようにしてもよい。
【００９３】
なお、タイマ装置５によって負荷Ｌの動作状況を監視するために、タイマ装置５において、負荷Ｌを制御するモードデータ信号ＭＤを含む伝送信号をすべて監視することによって、負荷Ｌの制御状態を監視するようにしてもよい。他の構成および動作は第１の実施の形態ないし第２の実施の形態と同様である。
【００９４】
【発明の効果】
請求項１の発明は、それぞれアドレスを備える複数台の端末器が信号線に接続され、信号線に接続された伝送ユニットと前記各端末器との間で時分割多重伝送方式により伝送信号を授受することにより、伝送ユニットがアドレスの対応関係を用いていずれかの端末器における監視入力に対応させて他の端末器による負荷の制御を可能とする遠隔監視制御システムに用いられ、負荷を制御する日時と負荷の制御内容と負荷に対応するアドレスとを対応付けたタイムスケジュールを設定する制御データ入力部と、制御データ入力部で設定された複数個のタイムスケジュールを格納する制御データ記憶部と、現在日時を計時する時計回路と、時計回路により計時されている現在日時と制御データ記憶部に格納されているタイムスケジュールとを照合するタイマ制御部と、前記信号線に接続され負荷を制御する日時が現在日時に一致したタイムスケジュールの負荷の制御内容を監視入力としタイムスケジュールに設定されたアドレスをアドレスとして用いることにより伝送ユニットに対して端末器として動作する端末回路とを１つの器体に備えるものであり、タイムスケジュールに負荷に対応するアドレスを設定しておき、このアドレスを用いて端末器として動作する端末回路を設けているから、従来構成で必要であった接点入力端末器が不要になり、構成要素の点数が少なくなる。しかも、従来構成では制御対象となる負荷回路数に応じた個数の接点出力回路を設けていたのに対して、１個の端末回路を複数台の端末器と等価に動作させることになるから、タイムスケジュールを格納する制御データ記憶部の容量に応じて負荷回路数を増加させることが可能になり、大型化することなく多回路の負荷の個別制御が可能になり省スペース化が可能になる。
【００９５】
請求項２の発明は、請求項１の発明において、前記端末回路がタイムスケジュールにより設定されたアドレスの有効・無効を選択する選択手段を有し、選択手段は端末回路に固定的に設定される専用アドレスに対応付けられており、信号線上に別途に接続された端末器が専用アドレスに対応付けられ、当該端末器への監視入力に応じて前記選択手段がタイムスケジュールにより設定されたアドレスの有効・無効を選択するものであり、タイマ装置とは別に配置した端末器によってタイムスケジュールによる制御の有効・無効を容易に選択することができる。たとえば、タイマ装置を分電盤に収納しておき、他の箇所に設けた端末器によってタイムスケジュールによる制御の有効・無効を選択するようにすれば、分電盤を開くことなくタイムスケジュールによる制御の有効・無効を選択することが可能になり、利便性が高くなる。
【００９６】
請求項３の発明は、請求項２の発明において、前記選択手段が選択結果を負荷のオンオフと同じ形式で伝送ユニットに返送するので、他の端末器を用いて選択手段の選択内容を報知することができる。たとえば、従来から用いられているスイッチ付きの端末器におけるオンオフの表示を選択手段の選択内容の報知に用いることが可能になる。
【００９７】
請求項４の発明は、請求項１ないし請求項３の発明において、外部からの同期信号が入力される同期入力回路と、同期入力回路に同期信号が入力されると前記時計回路を規定時刻に時刻合わせするとともに時計回路で計時されている時刻が規定時刻になると同期信号を生成する時計同期処理部と、時計同期処理部から出力された同期信号を外部に出力する同期出力回路とが付加されているものであり、複数台のタイマ装置を用いる場合に一つのタイマ装置の同期出力回路に他のタイマ装置の同期入力回路を接続すれば、各タイマ装置の時計回路を同期させることができ、複数台のタイマ装置を用いながらも負荷制御の時間のずれを防止することができる。
【００９８】
請求項５の発明は、請求項１ないし請求項４の発明において、前記タイムスケジュールの編集が可能な外部装置との間で双方向に通信可能とする外部入出力回路と、外部入出力回路を通して接続された外部装置と前記制御データ記憶部との間で前記タイムスケジュールを相互に転送可能とする外部データ入出力部とが付加されているものであり、パーソナルコンピュータなどの外部装置によってタイムスケジュールを編集することが可能になり、タイムスケジュールの作成や管理が容易になる。また、外部装置を接続することによって、遠方からのタイムスケジュールの管理が可能になる。
【００９９】
請求項６の発明は、請求項１の発明において、前記伝送ユニットには監視入力に対応する１つのアドレスと制御対象となる複数の負荷に対応する複数のアドレスとを対応付けた一括制御用の関係データが格納される書換可能な制御テーブルが設けられ、さらに伝送ユニットが前記信号線を通して伝送される前記伝送信号により制御テーブルの書き換えが要求されると伝送信号を用いて伝送された関係データを制御テーブルに書き込む機能を有し、前記タイムスケジュールには日時と関係データとを対応付けた特殊スケジュールが含まれ、前記端末回路では、タイムスケジュールの日時が現在日時に一致したとき、そのタイムスケジュールが特殊スケジュールであるときは、伝送ユニットに対して制御テーブルの書き換えを要求し、伝送信号により関係データを伝送ユニットに転送するものであり、伝送ユニットに設定されている関係データを特殊スケジュールによって変更が可能になるから、一括制御の制御対象となる負荷を時間帯によって変更することが可能になる。その結果、たとえば、信号線上の端末器に監視入力を与える手段として設けた１つのスイッチを用いるだけで、時間帯ごとに異なる種類の負荷の制御が可能になる。
【０１００】
請求項７の発明は、請求項６の発明において、前記伝送ユニットが前記信号線を通して伝送される前記伝送信号により制御テーブルの読み出しが要求されると伝送信号を用いて制御テーブルの関係データを信号線に送出する機能を有し、前記端末回路が伝送ユニットに対して制御テーブルの読み出しを要求し、信号線に送出された関係データを前記制御データ記憶部に格納する機能を有し、前記制御データ入力部が制御データ記憶部に格納された関係データを編集する機能を有するものであり、伝送ユニットから関係データを読み出して編集することにより、一括制御用の関係データを比較的簡単に効率よく生成することが可能になる。
【０１０１】
請求項８の発明は、請求項１の発明において、前記信号線に接続された前記端末器のうち表示機能を備えた端末器に対応付けるアドレスが制御データ記憶部に設定され、前記端末回路がこのアドレスを用いることにより表示機能を備える端末器に表示内容を転送するものであり、タイマ装置において生成された表示内容を遠方に設けた端末器に表示させることが可能になる。その結果、たとえばタイマ装置の動作を使用者の近傍の端末器で監視したり、タイマ装置で生成した情報を使用者の近傍の端末器に表示させたりすることが可能になる。
【０１０２】
請求項９の発明は、請求項１の発明において、前記端末回路が前記信号線に接続された前記端末器への監視入力に基づいて生成された伝送信号を受信する側の端末器としての機能を有し、前記タイマ制御部が端末回路を通して受信した伝送信号の内容をタイムスケジュールによる負荷の制御とともに用いて端末回路への監視入力を生成する機能を有するものであり、タイムスケジュールによる負荷の制御内容に別の端末器で検出した情報を加味することが可能になり、たとえば、別の端末器に照度センサや人感センサを設けることによって、周囲の照度や人の存否などに応じて負荷の制御状態を変化させることが可能になる。
【０１０３】
請求項１０の発明は、請求項１の発明において、前記伝送ユニットには前記負荷の動作状況が格納される負荷監視テーブルが設けられ、さらに伝送ユニットが前記信号線を通して伝送される前記伝送信号により負荷監視テーブルの内容の読み出しが要求されると伝送信号を用いて負荷監視テーブルの内容を信号線に送出する機能を有し、前記端末回路が伝送ユニットに対して負荷監視テーブルの読み出しを要求し、信号線に送出された負荷監視テーブルの内容を取得して制御データ記憶部に格納する機能を有するものであり、タイムスケジュールによる負荷の制御内容を負荷の動作状況に応じて変更することが可能になり、たとえば、タイムスケジュールの実行時に、負荷がすでにオンであるときにはその負荷に対するタイムスケジュールを適用し、負荷がオフであればタイムスケジュールは無視するなどの制御が可能になる。
【０１０４】
請求項１１の発明は、請求項１の発明において、前記タイムスケジュールを設定する一部の時刻に名称を対応付け、前記制御データ入力部が当該名称を用いてタイムスケジュールを設定する機能を有するものであり、タイムスケジュールの時刻設定を名称によって入力することができるから、あらかじめ名称を特定の時刻に対応付けておくことによって、タイムスケジュールの入力作業が簡素化される。
【図面の簡単な説明】
【図１】本発明の第１の実施の形態を示すブロック図である。
【図２】同上に用いるタイムスケジュールのフォーマットを示す図である。
【図３】同上の使用例を示すブロック図である。
【図４】本発明の第２の実施の形態を示すブロック図である。
【図５】同上の動作例を示すブロック図である。
【図６】第３の実施の形態における電力消費量の評価例を示す図である。
【図７】第３の実施の形態における電力消費量の評価例を示す図である。
【図８】従来例を示すブロック図である。
【図９】同上における伝送信号のフォーマットを示す図である。
【符号の説明】
１  伝送ユニット
２  接点入力端末器
３  制御端末器
５  タイマ装置
１０  タイマ制御部
１１  制御データ入力部
１２  制御データ記憶部
１３  時計回路
１４  端末回路
１５  時計同期処理部
１６  同期入力回路
１７  同期出力回路
１８  外部入出力回路
１９  外部データ入出力部
Ｌ  負荷
Ｌｓ  信号線
【図１】
0004325120.tif 000002
【図２】
0004325120.tif 000003
【図３】
0004325120.tif 000004
【図４】
0004325120.tif 000005
【図５】
0004325120.tif 000006
【図６】
0004325120.tif 000007
【図７】
0004325120.tif 000008
【図８】
0004325120.tif 000009
【図９】
0004325120.tif 000010